(57)【要約】【課題】弁室２内の弁体８と，前記弁室内への油圧入口ポート３と，前記弁室からの油圧出口ポート４と，前記弁体を閉に付勢するばね手段９とを備え，前記弁体８が開き作動するとき，先ず前記油圧入口ポート３が開き，次いで前記油圧出口ポート４が開くように構成したリリーフ弁において，前記弁体８の円滑な開閉作動を図る。【解決手段】前記弁体８における頭部８ａに，その外周面の周囲を囲う環状溝１１を設け，この環状溝１１を，前記弁体８が開き作動したとき前記油圧出口ポート４に連通する構成にする。【選択図】図２
2011226294.tif 000002
【特許請求の範囲】
【請求項１】
弁室と，この弁室内に摺動自在に設けた弁体と，前記弁室内への油圧入口ポートと，前記弁室からの油圧出口ポートと，前記弁体を前記油圧入口ポートを閉じるように付勢するばね手段とを備え，前記弁体がそのばね手段に抗して開き作動するとき，先ず前記油圧入口ポートが開き，次いで前記油圧出口ポートが開くように構成して成るリリーフ弁において，
前記弁体のうち前記油圧入口ポート側の頭部の部分には，その外周面の周囲を囲うようした環状溝が設けられ，この環状溝は，前記弁体が前記ばね手段に抗して開き作動したとき前記油圧出口ポートに連通する構成であることを特徴とする油圧ポンプにおけるリリーフ弁の構造。
【発明の詳細な説明】
【技術分野】
【０００１】
本発明は，内燃機関における潤滑油ポンプ等の油圧ポンプにおいて，その吐出圧が所定の設定圧を越えることがないように制限するためのリリーフ弁の構造に関するものである。
【背景技術】
【０００２】
従来，この種のリリーフ弁は，先行技術としての特許文献１等に記載されているように，リリーフ弁における弁箱に，その内部における弁室内への油圧入口ポートと，前記弁室内からの油圧出口ポートとを設ける一方，前記弁室内に前記油圧入口ポートに対して前後方向に摺動自在に挿入した弁体を，ばね手段にて前記油圧入口ポートを閉じるように付勢する構成にし，前記弁室内への油圧入口ポートにおける油圧が前記ばね手段による設定値を越えて高くなると，前記弁体が前記ばね手段に抗して後退して，先ず，前記油圧入口ポートが開き，次いで，油圧出口ポートが開くことにより，余分のオイルをリリーフするという構成にしている。
【先行技術文献】
【特許文献】
【０００３】
【特許文献１】実開平０４−０４９６８２号公報
【発明の概要】
【発明が解決しようとする課題】
【０００４】
前記先行技術におけるリリーフ弁は，その弁体における外周面に傾斜又は螺旋溝を設けて，前記弁体をその開閉作動に応じて旋回することによって，前記弁体の開閉作動に起因して発生する偏摩耗を防止するという構成にしているものの，オイルの中に混濁している微細な金属粉等の固形異物が，前記弁体の開閉作動中において，当該弁体における外周面と弁室における内周面との間，つまり弁体と弁室との摺動面に侵入するおそれが大きく，これが，前記弁体における円滑な開閉作動を妨げることになるという問題があった。
【０００５】
本発明は，この問題を解消することを技術的課題としている。
【課題を解決するための手段】
【０００６】
この技術的課題を達成するため請求項１は，
「弁室と，この弁室内に摺動自在に設けた弁体と，前記弁室内への油圧入口ポートと，前記弁室からの油圧出口ポートと，前記弁体を前記油圧入口ポートを閉じるように付勢するばね手段とを備え，前記弁体がそのばね手段に抗して開き作動するとき，先ず前記油圧入口ポートが開き，次いで前記油圧出口ポートが開くように構成して成るリリーフ弁において，
前記弁体のうち前記油圧入口ポート側の頭部の部分には，その外周面の周囲を囲うようした環状溝が設けられ，この環状溝は，前記弁体が前記ばね手段に抗して開き作動したとき前記油圧出口ポートに連通する構成である。」
ことを特徴としている。
【発明の効果】
【０００７】
この構成において，弁室内への油圧入口ポートにおける油圧がばね手段による設定値を越えて高くなると，弁体が前記ばね手段に抗して後退して，先ず，前記弁室への油圧入口ポートが開き，次いで，前記弁室内からの油圧出口ポートが開くことにより，余分のオイルは，前記油圧入口ポートから前記弁室内に入り，この弁室から前記弁体の外周面に設けた環状溝に入り，そして，この環状溝を経て前記油圧出口ポートからリリーフされる。
【０００８】
これにより，リリーフされるオイルは，一旦，前記環状溝内に入り，この環状溝から油圧出口ポートに流出することにより，前記オイルの停滞箇所が少なくなり，オイルの流れが円滑になるから，このオイル中に混濁している固形異物が弁体と弁室との摺動面に侵入するおそれを大幅に低減できて，前記弁体における円滑な開閉作動の妨げになることを確実に低減できる。
【０００９】
また，前記弁体の頭部と前記弁室の内周面との間における隙間を，前記油圧出口ポートに近い部分において狭く，前記油圧出口ポートよりも遠い部分において広くする構成にすることにより，前記油圧入口ポートから弁室内に入ったオイルは，その大部分が前記広い部分から環状溝内に入って，この環状溝内を前記油圧出口ポートの方向に円滑に流れることになって，オイル中に混濁している固形異物の円滑な排出を促進できるから，前記した効果を促進できる利点がある。
【図面の簡単な説明】
【００１０】
【図１】本発明の実施の形態を示す縦断正面図である。
【図２】図１の作動状態を示す図である。
【図３】図２のIII −III 視断面図である。
【発明を実施するための形態】
【００１１】
以下，本発明の実施の形態を，図１〜図３の図面について説明する。
【００１２】
これらの図において，符号１は，リリーフ弁における弁箱を示し，この弁箱１には，その内部に円筒形にした弁室２を備えているとともに，前記弁室２内の頂部への油圧入口ポート３と，前記弁室２内の側面からの油圧出口ポート４とが設けられている。
【００１３】
前記油圧入口ポート３は，油圧ポンプ５における吐出口からの油圧吐出管路６に接続され，前記油圧出口ポート４は，油圧タンク７に接続されている。
【００１４】
前記弁室２の内部には，弁体８が，当該弁室２における軸線方向に自在に摺動するように設けられおり，この弁体８は，前記弁室２の内部に設けたコイルばね９により，当該弁体８の頭部８ａにて前記油圧入口ポート３を閉じるように付勢されており，前記コイルばね９は，前記弁箱１に螺合したばね力調節手段１０にて支持されている。
【００１５】
これにより，前記弁体８は，前記油圧入口ポート３における油圧，つまり，前記油圧吐出管路６における油圧が，前記コイルばね９による設定値を越えて高くなると，前記コイルばね９に抗して後退して，先ず，前記油圧入口ポート３が開き，次いで，油圧出口ポート４が開くという構成になっている。
【００１６】
そして，前記弁体８における頭部８ａには，その外周面の周囲を囲うようした環状溝１１が設けられ，この環状溝１１は，前記弁体８が前記コイルばね９に抗して前記油圧入口ポート３を開くように開き作動したとき前記油圧出口ポート４に連通する構成になっている。
【００１７】
この構成において，前記油圧ポンプ５からの油圧吐出管路６における油圧，ひいては，前記弁室２内への油圧入口ポート３における油圧がコイルばね９による設定値を越えて高くなると，前記弁体８が前記コイルばね９に抗して後退して，先ず，前記弁室２への油圧入口ポート３が開き，次いで，前記弁室２内からの油圧出口ポート４が開くことにより，余分のオイルは，前記油圧入口ポート３から前記弁室２内に入り，この弁室２から前記弁体８の外周面に設けた環状溝１１に入り，そして，この環状溝１１を経て前記油圧出口ポート４からリリーフされる。
【００１８】
これにより，前記油圧吐出管路６における油圧を，前記コイルばね９による設定値を越えることがないように規制することができる。
【００１９】
前記リリーフされるオイルは，一旦，前記環状溝１１内に入り，この環状溝１１から油圧出口ポート４に流出することにより，前記オイルの停滞箇所が少なくなり，オイルの流れが円滑になるから，このオイル中に混濁している固形異物が弁体８と弁室２との摺動面に侵入するおそれを大幅に低減できる。
【００２０】
この場合において，前記弁体８における頭部８ａのうち前記油圧出口ポート４から遠い部分に，例えば，図２及び図３に二点鎖線で示すように切欠溝８ａ′を設ける等することにより，前記頭部８ａと前記弁室２の内周面との間における隙間を，前記油圧出口ポート４に近い部分において狭く，前記油圧出口ポート４よりも遠い部分において広くするという構成にする。
【００２１】
これにより，前記油圧入口ポート３から弁室２内に入ったオイルは，その大部分が前記広い部分から環状溝１１内に入って，この環状溝１１内を前記油圧出口ポート４の方向に円滑に流れることになるから，オイル中に混濁している固形異物の円滑な排出を促進できる。
【符号の説明】
【００２２】
１                  弁箱
２                  弁室                                                        ３                  油圧入口ポート
４                  油圧出口ポート
８                  弁体
８ａ                弁体の頭部
９                  コイルばね（ばね手段）
１０                ばね力調節手段
１１                環状溝
【図１】
2011226294.tif 000003
【図２】
2011226294.tif 000004
【図３】
2011226294.tif 000005